【手続補正書】
【提出日】平成23年6月27日(2011.6.27)
【手続補正１】
【補正対象書類名】特許請求の範囲
【補正対象項目名】全文
【補正方法】変更
【補正の内容】
【特許請求の範囲】
【請求項１】
呼吸用マスクアセンブリであって、
ａ）少なくとも１つの開口を有したマスクフレームと；
ｂ）前記開口に対して隣接して配置された第１バッフルと；
ｃ）エルボーアセンブリと；
を具備し、
前記エルボーアセンブリが、
１）ガス供給チューブに対して係合し得るよう構成された第１端部と；
２）前記マスクに対して取り付けられる第２端部と；
を備え、
前記エルボーアセンブリが、
ｉ）前記マスクアセンブリによって形成された鼻用呼吸キャビティに対して第１方向に流入ガスを供給するための導入ポートと、
ｉｉ）少なくとも第２バッフルの分だけ前記導入ポートから隔離された導出ポートと、
を形成し、
前記エルボーアセンブリが前記マスクフレームに対して連結されたときには、前記第１バッフルおよび前記第２バッフルが、前記鼻用呼吸キャビティから排出ガスを導出させ得るように、構成されていることを特徴とするマスクアセンブリ。
【請求項２】
請求項１記載のマスクアセンブリにおいて、
前記開口が、２０ｍｍ〜４０ｍｍという直径を有していることを特徴とするマスクアセンブリ。
【請求項３】
請求項２記載のマスクアセンブリにおいて、
前記開口が、２５ｍｍ〜３０ｍｍという直径を有していることを特徴とするマスクアセンブリ。
【請求項４】
請求項３記載のマスクアセンブリにおいて、
前記開口が、２８ｍｍという直径を有していることを特徴とするマスクアセンブリ。
【請求項５】
請求項１〜４のいずれか１項に記載のマスクアセンブリにおいて、
前記開口が、円形形状を有していることを特徴とするマスクアセンブリ。
【請求項６】
請求項１〜５のいずれか１項に記載のマスクアセンブリにおいて、
前記第１バッフルが、リングを有していることを特徴とするマスクアセンブリ。
【請求項７】
請求項１〜６のいずれか１項に記載のマスクアセンブリにおいて、
前記エルボーアセンブリが、前記マスクフレームに対して回転可能に連結された旋回可能エルボーを有していることを特徴とするマスクアセンブリ。
【請求項８】
請求項７記載のマスクアセンブリにおいて、
前記導出ポートの少なくとも一部が、前記マスクフレームに対しての前記旋回可能エルボーの回転角度にかかわらず、前記第１バッフルに対して連通していることを特徴とするマスクアセンブリ。
【請求項９】
請求項８記載のマスクアセンブリにおいて、
前記第２バッフルが、Ｕ字形状とされていることを特徴とするマスクアセンブリ。
【請求項１０】
請求項９記載のマスクアセンブリにおいて、
前記Ｕ字形状の第２バッフルの外表面が、流入ガスを前記Ｕ字形状の第２バッフルのこの外表面に沿って分散させるための突起を有していることを特徴とするマスクアセンブリ。
【請求項１１】
請求項１０記載のマスクアセンブリにおいて、
前記導出ポートが、前記マスクアセンブリの使用時には、前記マスクアセンブリの吸気モードと排気モードとの双方において、連続的に開口していることを特徴とするマスクアセンブリ。
【請求項１２】
請求項８〜１１のいずれか１項に記載のマスクアセンブリにおいて、
前記第２バッフルが、全体的に円筒形状とされていることを特徴とするマスクアセンブリ。
【請求項１３】
請求項１〜１２のいずれか１項に記載のマスクアセンブリにおいて、
前記エルボーアセンブリが前記マスクフレームに対して連結されたときには、前記第１バッフルおよび前記第２バッフルが、それぞれの端部どうしを突き合わせて位置合わせされることを特徴とするマスクアセンブリ。
【請求項１４】
呼吸用マスクアセンブリであって、
ａ）少なくとも１つの開口と、前記開口に対して隣接して配置されたバッフル状延出部材と、を有したマスクフレームと；
ｂ）クッションと；
ｃ）エルボーアセンブリと；
を具備し、
前記エルボーアセンブリが、
１）ガス供給チューブの表面に対して係合し得るよう構成された表面を有した第１端部と；
２）前記マスクに対して取り付けられる第２端部と；
を備え、
前記エルボーアセンブリが、
ｉ）前記マスクによって形成された鼻用呼吸キャビティに対して第１方向に流入ガスを供給するためのコンジット部分と、
ｉｉ）前記マスクフレームの前記開口に対して隣接して配置された少なくとも１つのバッフルの分だけ前記導入ポートから隔離された導出ポートと、
を形成し、
前記エルボーアセンブリが、旋回可能エルボーを有し、
前記バッフル状延出部材と、前記導出ポートを形成している前記バッフルとが、前記マスクフレームに対しての前記旋回可能エルボーの回転角度にかかわらず、互いに連通していることを特徴とするマスクアセンブリ。
【請求項１５】
請求項１４記載のマスクアセンブリにおいて、
前記クッションが、使用者の鼻を囲むキャビティを形成し得るようにして、前記マスクフレーム内へと挿入され得るよう構成されていることを特徴とするマスクアセンブリ。
【請求項１６】
請求項１４または１５記載のマスクアセンブリにおいて、
前記バッフルが、対称的な形状とされていることを特徴とするマスクアセンブリ。
【請求項１７】
請求項１６記載のマスクアセンブリにおいて、
前記バッフルが、円筒形状とされていることを特徴とするマスクアセンブリ。
【請求項１８】
請求項１４記載のマスクアセンブリにおいて、
前記バッフルが、非対称的な形状とされていることを特徴とするマスクアセンブリ。
【請求項１９】
請求項１４〜１８のいずれか１項に記載のマスクアセンブリにおいて、
前記導出ポートの断面積が、ベント穴に対して向けて増大していることを特徴とするマスクアセンブリ。
【請求項２０】
請求項１４〜１９のいずれか１項に記載のマスクアセンブリにおいて、
前記バッフル状延出部材が、前記開口を超えて延出されていることを特徴とするマスクアセンブリ。
【請求項２１】
請求項２０記載のマスクアセンブリにおいて、
前記バッフル状延出部材が、前記バッフルに対しての一体部材として形成されていることを特徴とするマスクアセンブリ。
【請求項２２】
請求項２０記載のマスクアセンブリにおいて、
前記バッフル状延出部材が、前記マスクアセンブリに対して取り付けられている、あるいは、前記マスクアセンブリに対して付設されていることを特徴とするマスクアセンブリ。
【請求項２３】
請求項２２記載のマスクアセンブリにおいて、
前記バッフル状延出部材が、リング形状部材とされていることを特徴とするマスクアセンブリ。
【請求項２４】
請求項２２記載のマスクアセンブリにおいて、
前記バッフル状延出部材と前記バッフルとが、それぞれの端部どうしを突き合わせて位置合わせされることを特徴とするマスクアセンブリ。
【請求項２５】
請求項１４〜２４のいずれか１項に記載のマスクアセンブリにおいて、
前記コンジット部分と、前記導出ポートと、前記バッフルとが、一体ユニットとされていることを特徴とするマスクアセンブリ。
【請求項２６】
請求項１４〜２５のいずれか１項に記載のマスクアセンブリにおいて、
前記開口とベント穴との間にわたって、円滑な導出ポートが形成されていることを特徴とするマスクアセンブリ。
【請求項２７】
請求項１４〜２６のいずれか１項に記載のマスクアセンブリにおいて、
前記コンジット部分と前記導出ポートとが、全断面積を規定し、
前記導出ポートが、前記全断面積の４０〜６０％を占めていることを特徴とするマスクアセンブリ。
【請求項２８】
請求項２７記載のマスクアセンブリにおいて、
前記コンジット部分と前記導出ポートとが、全断面積を規定し、
前記導出ポートの断面積の方が、前記コンジット部分の断面積よりも大きいことを特徴とするマスクアセンブリ。